(57)【要約】【課題】調合香料の自由度を増やす事ができ、また、目的とする香調を持続的に繊維製品から芳香させることができ、保存安定性に優れた液体柔軟剤組成物を提供する。【解決手段】（Ａ）特定の第３級アミン化合物又はその酸塩もしくは４級化物、（Ｂ）ｌｏｇＰ値が２．０以上、６．０以下である香料化合物を９０質量％以上含有する香料を内包したマイクロカプセル、（Ｃ）特定のケイ酸エステル、及び水を含有し、３０℃でのｐＨが２．５以上、４．０以下である、液体柔軟剤組成物。【選択図】なし【特許請求の範囲】
【請求項１】
下記の（Ａ）成分、（Ｂ）成分、（Ｃ）成分及び水を含有し、３０℃でのｐＨが２．５以上、４．０以下である、液体柔軟剤組成物。
（Ａ）成分：（ａ１）下記一般式（１）で表される第３級アミン化合物、その酸塩〔以下、（ａ１）成分という〕及び（ａ２）その第３級アミン化合物の４級化物〔以下、（ａ２）成分という〕、から選ばれる化合物、又はそれらを含む混合物
〔Ｒ1−Ｃ（＝Ｏ）−Ｏ−（ＣpＨ2pＯ）r−ＣqＨ2q〕mＮ（Ｒ2）3-m  （１）
〔式中、
Ｒ1は炭素数１１以上、２３以下の炭化水素基であり、
Ｒ2は炭素数１以上、３以下の炭化水素基及びＨＯ−（ＣpＨ2pＯ）r−ＣqＨ2q基から選ばれる基であり、
ｍは１以上、３以下の数であり、ｐ及びｑは２又は３の数であり、ｒは０以上、５以下の数である。
同一分子内にＲ1、Ｒ2、ＨＯ−（ＣpＨ2pＯ）r−ＣqＨ2q基、ｐ、ｑ、ｒが複数存在する場合、それらは同一でも異なっていても良い。〕
（Ｂ）成分：ｌｏｇＰ値が２．０以上、６．０以下である香料化合物を９０質量％以上含有する香料を内包したマイクロカプセル。
（Ｃ）成分：下記（ｃ−１）及び（ｃ−２）から選ばれる１種以上の化合物。
（ｃ−１）：下記一般式（２）で表される化合物であって、Ｒ21、Ｒ22、Ｒ23及びＲ24のうち１個以上、４個以下は、アリル位の炭素原子に水酸基を有し、該炭素原子が第１炭素原子または第２炭素原子である、香料として用いられるアルコール化合物から水酸基を除いた残基であり、残りが独立に、水素原子又は置換基を有していてもよい炭素数１以上、３０以下の炭化水素基（但し、香料として用いられるフェノール化合物からフェノール性水酸基を除いた残基を除く）である化合物。
（ｃ−２）：下記一般式（２）で表される化合物であって、Ｒ21、Ｒ22、Ｒ23及びＲ24のうち１個又は２個は、香料として用いられるフェノール化合物からフェノール性水酸基を除いた残基であり、残りが独立に、置換基を有していてもよい炭素数１以上、３０以下の炭化水素基（但し、香料として用いられるフェノール化合物からフェノール性水酸基を除いた残基を除く）である化合物。
【化１】
2014125685.tif 000012
【請求項２】
（Ａ）成分として、（ａ１）成分と（ａ２）成分とを含有し、（ａ１）成分／（ａ２）成分の質量比が３／９７以上、４０／６０以下である、請求項１に記載の液体柔軟剤組成物。
【請求項３】
（ａ２）成分が、一般式（１）で表される第３級アミン化合物を、塩化メチル、ジメチル硫酸及びジエチル硫酸から選ばれる１種以上のアルキル化剤で４級化した４級化物である、請求項１又は２に記載の液体柔軟剤組成物。
【請求項４】
（Ｂ）成分のマイクロカプセルの外殻が、ポリウレタン、ポリアミド、メラミン樹脂、尿素樹脂、アルギン酸塩、ポリアクリル樹脂、ゼラチン及びアラビアゴムから選ばれる一種以上により構成されている、請求項１〜３の何れかに記載の液体柔軟剤組成物。
【請求項５】
（Ａ）成分を５質量％以上、２０質量％以下、（Ｂ）成分を０．０１以上、０．５質量％以下、（Ｃ）成分を０．０１以上、０．５質量％以下含有する、請求項１〜４の何れかに記載の液体柔軟剤組成物。
【請求項６】
更に（Ｄ）成分として、（Ｂ）成分及び（Ｃ）成分以外の香料を含有する、請求項１〜５の何れかに記載の液体柔軟剤組成物。
【請求項７】
（Ｄ）成分を０．１〜２．０質量％含有する、請求項６に記載の液体柔軟剤組成物。
【請求項８】
更に（Ｅ）成分として、非イオン界面活性剤を０．５質量％以上、８質量％以下含有する、請求項１〜７のいずれかに記載の液体柔軟剤組成物。
【発明の詳細な説明】
【技術分野】
【０００１】
本発明は、液体柔軟剤組成物に関する。
【背景技術】
【０００２】
近年、一般家庭での洗濯物の香りに対する意識の高まりから、持続性のある香料や持続性付与成分を用いた衣料用洗浄剤及び仕上げ剤などの繊維製品処理剤組成物が種々検討されている。
【０００３】
しかしながら、一般家庭で使用する繊維処理剤組成物は水を介して繊維製品に処理されるため、繊維製品に付与された香料は乾燥時に水と共に揮散したり、乾燥後から経時で香料が布上から揮散することで、布から発する香りが弱くなってしまう。
【０００４】
これらの要求に対応する技術の開発が行われているが、例えば、特許文献１には特定の持続性香料組成物を含有し、布地上の香料の寿命を改善する布地軟化組成物が開示されている。特許文献２には特定の持続性香料組成物を含有し、洗濯物上で香料の改善した持続性を発揮する布帛柔軟剤組成物が開示されている。
【０００５】
また、香りの持続性、残香性を目的として香料をマイクロカプセル化して配合する試みがなされている。香料のマイクロカプセルは、芯物質の香料を壁材で包んだ粒子状物質であり、その役割は芯物質の香料を保護し、カプセルに物理的な力が加わった際にカプセルの壁が破れて芯物質の香料を放出するものである。
【０００６】
特許文献３には、芯物質として引火点が５０〜１３０℃の範囲内の香料組成物を含有するカプセル化香料が記載されている。また、引用文献４には、高揮発性香料等の揮発成分と、それよりも高融点で相溶性がある添加剤を含有するマイクロカプセルが記載されている。
【０００７】
また、香り立ちに優れ、さわやかな香りや華やかな香りを繊維製品に付与できる技術として、特許文献５及び６にはケイ酸エステル化合物を含有する繊維処理剤が開示されている。ケイ酸エステル化合物の加水分解物（アルコール性香気成分）を香料成分として用いる技術であり、繊維製品に付着したケイ酸エステル化合物が加水分解する際に香りが発せられる。
【０００８】
また、使用期間中に香調が変化する繊維製品処理剤組成物を提供する技術として、特許文献７には、ケイ酸エステル化合物、特定の有機溶剤、特定のアミン化合物等を含有する繊維製品処理剤組成物が開示されており、香料として所定のｌｏｇ値の香料を含有できることが開示されている。
【先行技術文献】
【特許文献】
【０００９】
【特許文献１】特表平１１−５０４９９４号公報
【特許文献２】特表平１０−５０７７９３号公報
【特許文献３】特開２００６−２４９３２６号公報
【特許文献４】国際公開第２００７／０３８５７０号パンフレット
【特許文献５】特開２００９−２５６８１８号公報
【特許文献６】特表２００３−５２６６４４号公報
【特許文献７】特開２０１２−４１６５０号公報
【発明の概要】
【発明が解決しようとする課題】
【００１０】
カプセル化された香料は柔軟剤等を用いて繊維製品に処理を施すことで、繊維製品に付着することができる。しかしながら香料は、カプセル内に閉じ込められていることから、柔軟剤に直接配合されている外香料と比較して、微香性である。最近では意図的にカプセルを壊すことで香調の変化を楽しむ製品が提案されている。
【００１１】
香料として用いられるアルコール化合物(以下、アルコール性香料という場合もある)とケイ酸とのエステル化物であるケイ酸エステル型香料を用いることで芳香を持続させる方法もまた知られている。しかしながらケイ酸エステルとして用いられる香料成分は、主にアルコール性香料に制限される。そのため調合香料が制限される。
【００１２】
本発明は、調合香料の自由度を増やすことができ、目的とする香調を持続的に繊維製品から芳香させることができ、保存安定性に優れた液体柔軟剤組成物を提供する。
【課題を解決するための手段】
【００１３】
本発明は、下記の（Ａ）成分、（Ｂ）成分、（Ｃ）成分及び水を含有し、３０℃でのｐＨが２．５以上、４．０以下である、液体柔軟剤組成物に関する。
（Ａ）成分：（ａ１）下記一般式（１）で表される第３級アミン化合物、その酸塩〔以下、（ａ１）成分という〕及び（ａ２）その第３級アミン化合物の４級化物〔以下、（ａ２）成分という〕、から選ばれる化合物、又はそれらを含む混合物
〔Ｒ1−Ｃ（＝Ｏ）−Ｏ−（ＣpＨ2pＯ）r−ＣqＨ2q〕mＮ（Ｒ2）3-m  （１）
〔式中、
Ｒ1は炭素数１１以上、２３以下の炭化水素基であり、
Ｒ2は炭素数１以上、３以下の炭化水素基及びＨＯ−（ＣpＨ2pＯ）r−ＣqＨ2q基から選ばれる基であり、
ｍは１以上、３以下の数であり、ｐ及びｑは２又は３の数であり、ｒは０以上、５以下の数である。
同一分子内にＲ1、Ｒ2、ＨＯ−（ＣpＨ2pＯ）r−ＣqＨ2q基、ｐ、ｑ、ｒが複数存在する場合、それらは同一でも異なっていても良い。〕
（Ｂ）成分：ｌｏｇＰ値が２．０以上、６．０以下である香料化合物を９０質量％以上含有する香料を内包したマイクロカプセル。
（Ｃ）成分：下記（ｃ−１）及び（ｃ−２）から選ばれる１種以上の化合物。
（ｃ−１）：下記一般式（２）で表される化合物であって、Ｒ21、Ｒ22、Ｒ23及びＲ24のうち１個以上、４個以下は、アリル位の炭素原子に水酸基を有し、該炭素原子が第１炭素原子または第２炭素原子である、香料として用いられるアルコール化合物から水酸基を除いた残基であり、残りが独立に、水素原子又は置換基を有していてもよい炭素数１以上、３０以下の炭化水素基（但し、香料として用いられるフェノール化合物からフェノール性水酸基を除いた残基を除く）である化合物。
（ｃ−２）：下記一般式（２）で表される化合物であって、Ｒ21、Ｒ22、Ｒ23及びＲ24のうち１個又は２個は、香料として用いられるフェノール化合物からフェノール性水酸基を除いた残基であり、残りが独立に、置換基を有していてもよい炭素数１以上、３０以下の炭化水素基（但し、香料として用いられるフェノール化合物からフェノール性水酸基を除いた残基を除く）である化合物。
【００１４】
【化１】
2014125685.tif 000002
【発明の効果】
【００１５】
本発明によれば、調合香料の自由度を増やすことができ、目的とする香調を持続的に繊維製品から芳香させることができ、保存安定性に優れた液体柔軟剤組成物が提供される。
【発明を実施するための形態】
【００１６】
〔（Ａ）成分〕
（Ａ）成分は、（ａ１）下記一般式（１）で表される第３級アミン化合物、その酸塩、及び（ａ２）その４級化物から選ばれる化合物又はそれらを含む混合物である。
〔Ｒ1−Ｃ（＝Ｏ）−Ｏ−（ＣpＨ2pＯ）r−ＣqＨ2q〕mＮ（Ｒ2）3-m  （１）
〔式中、
Ｒ1は炭素数１１以上、２３以下の炭化水素基であり、
Ｒ2は炭素数１以上、３以下の炭化水素基及びＨＯ−（ＣpＨ2pＯ）r−ＣqＨ2q基から選ばれる基であり、
ｍは１以上、３以下の数であり、ｐ及びｑは２又は３の数であり、ｒは０以上、５以下の数である。
同一分子内にＲ1、Ｒ2、ＨＯ−（ＣpＨ2pＯ）r−ＣqＨ2q基、ｐ、ｑ、ｒが複数存在する場合、それらは同一でも異なっていても良い。〕
【００１７】
一般式（１）中のＲ1は、繊維製品の柔軟化の観点から、炭素数１３以上、２１以下の非環式の炭化水素基が好ましい。Ｒ1の炭化水素基の具体例は、直鎖または分岐鎖のアルキル基、アルケニル基が挙げられ、直鎖がより好ましい。具体的には、炭素数１３以上、２１以下の直鎖または分岐鎖、好ましくは直鎖のアルキル基及び炭素数１３以上、２１以下の直鎖または分岐鎖、好ましくは直鎖のアルケニル基から選ばれる基が挙げられる。
【００１８】
乳濁型の形態が望まれる場合の液体柔軟剤組成物の製造容易性の観点から、Ｒ1は炭素数１１以上、２３以上のアルキル基及び炭素数１１以上、２３以下アルケニル基から選ばれる基が好ましい。より好ましくは、炭素数１３以上、２１以下のアルキル基及び炭素数１３以上、２１以下のアルケニル基から選ばれる基である。更に好ましくは一般式（１）の混合物として、アルキル基とアルケニル基とを有することが好ましい。（Ａ）成分の混合物を構成している１つの構造体にアルキル基とアルケニル基の両方の基を有していてもよく、一方の基のみを有していてもよい。アルキル基とアルケニル基の割合は原料となる脂肪酸または脂肪酸エステルの組成によって構成され、水素添加により調製してもよい。
【００１９】
アルケニル基に含まれる不飽和基はシス体とトランス体が存在する。シス体とトランス体比の具体例は、モル比でシス体／トランス体＝３０／７０以上、９９／１以下のものが挙げられる。アルケニル基の入手性の観点から、シス体／トランス体＝５０／５０以上、９７／３以下が好ましい。本発明において、シス体とトランス体の比は1Ｈ−ＮＭＲの積分比で算出することができる。
【００２０】
ｐ及びｑは、それぞれ、２又は３の数である。処理した布吸水性保持の観点から、ｐは２の数が好ましい。（Ａ）成分の製造の容易性の観点から、ｑは２の数が好ましい。
ｒは、繊維製品の柔軟化の点から、０以上、２以下の数が好ましく、０がより好ましい。
【００２１】
（ａ１）成分は一般式（１）で表される第３級アミン化合物及びその酸塩である。第３級アミン化合物は、液体柔軟剤組成物のｐＨにより、一部又は全てが酸塩の状態で組成物中に存在していても良い。
【００２２】
第３級アミン化合物の酸塩で存在する場合の酸としては、無機酸又は有機酸が挙げられる。無機酸の具体例としては、塩酸、硫酸が使用できる。有機酸の具体例としては、炭素数１以下、３以下のアルキル硫酸、炭素数１以下、１０以下の１価又は多価のカルボン酸、又は炭素数１以下、２０以下の１価又は多価のスルホン酸が挙げられる。より具体的にはメチル硫酸、エチル硫酸、ｐ−トルエンスルホン酸、（ｏ−、ｍ−、ｐ−）キシレンスルホン酸、ベンゼンスルホン酸、ドデシルベンゼンスルホン酸、グリコール酸、クエン酸、安息香酸、サリチル酸が挙げられる。
【００２３】
（ａ１）成分である一般式（１）で表されるアミン化合物を得る製造方法は特に制限されないが、例えば、下記一般式（１−１）で表わされるアルカノールアミン化合物と脂肪酸とのエステル化反応、又は一般式（１−１）で表わされるアルカノールアミン化合物と脂肪酸エステルとのエステル交換反応によって得ることができる。脂肪酸としては、パーム核油由来、ヤシ油由来、牛脂、菜種油、ひまわり油由来の脂肪酸を用いることができ、脂肪酸比率を調製したものであってもよく、由来の違う脂肪酸を併用して用いてもよい。
【００２４】
〔ＨＯ−（ＣpＨ2pＯ）r−ＣqＨ2q〕nＮ（Ｒ3）3-n  （１−１）
〔式中、Ｒ3は炭素数１以上、３以下の炭化水素基から選ばれる基であり、ｎは１以上、３以下の数、ｐ、ｑ、ｒは、前記一般式（１）と同じ意味を表す。〕
【００２５】
エステル化反応の例としては、例えば、特表２０００−５１０１７１号公報の８〜９頁目に記載されている方法を適用することができる。
【００２６】
エステル交換反応の例としては、例えば、特開平７−１３８２１１号公報の段落〔００１３〕〜段落〔００１６〕に記載の方法を適用することができる。
【００２７】
（ａ２）成分である前記一般式（１）で表される第３級アミン化合物の４級化物は、一般式（１）で表される第３級アミン化合物とアルキル化剤を用いた４級化反応により得ることができる。
【００２８】
アルキル化剤は、ジメチル硫酸、ジエチル硫酸、塩化メチル、臭化メチル、ヨウ化メチル等が挙げられ、塩化メチル、ジメチル硫酸及びジエチル硫酸から選ばれる一種以上を用いることが好ましい。すなわち、（ａ２）成分として、一般式（１）で表される第３級アミン化合物を、塩化メチル、ジメチル硫酸及びジエチル硫酸から選ばれる１種以上のアルキル化剤で４級化した４級化物が挙げられる。
【００２９】
４級化反応の例としては、例えば、特開平７−１３８２１１号公報の〔００１７〕〜〔００２３〕に記載の方法や、特開平１１−１０６３６６号公報に記載の製造方法を適用することができる。
【００３０】
（Ａ）成分は、１種類の化合物でも良く、２種類以上の化合物の混合物であっても良い。
【００３１】
（Ａ）成分が２種類以上の化合物の混合物である場合、ｍの数平均の数は１．２以上、２．５以下の混合物を用いることができる。繊維製品の柔軟化の観点から、ｍの数平均の数は、１．３以上、更に１．４以上が好ましく、そして、２．０以下、更に１．９以下が好ましい。
【００３２】
前記ｍの数平均の数を満たす混合物を得る上で、その原料となる一般式（１−１）の化合物は異なる構造の化合物を混合したものを用いてもよい。また、一般式（１−１）のｎが３の化合物を脂肪酸や脂肪酸エステルと反応させてｍの数平均の数が前記範囲の混合物を得ることも好ましい。
【００３３】
本発明では、（Ａ）成分として、（ａ１）成分と（ａ２）成分の両方を含有することができる。この場合、（ａ１）成分／（ａ２）成分の質量比は、３／９７以上、更に５／９５以上が好ましく、そして、４０／６０以下、更に３５／６５以下が好ましい。また、本発明では、（Ａ）成分として、（ａ１）成分と（ａ２）成分とを含む混合物を用いることが好ましい。混合物中の（ａ１）成分と（ａ２）成分の割合は混合物中のアミン価から求めることができる。
【００３４】
本発明では、例えば次のようにして得られた（Ａ）成分を用いることが好ましい。
すなわち、一般式（１）で示される化合物として、メチルジエタノールアミン［前記一般式（１−１）中、Ｒ3がメチル基であって、ｎ＝２、ｑ＝２、ｒ＝０で示される化合物である］及びトリエタノールアミン［前記一般式（１−１）中、ｎ＝３、ｑ＝２、ｒ＝０で示される化合物である］から選ばれるアルカノールアミン（ａ０−１）〔以下、（ａ０−１）成分という〕と、炭素数１２以上、２４以下の脂肪酸又はその低級アルキル（アルキル基の炭素数１以下、３以下、好ましくはメチル）エステル（ａ０−２）とを、〔（ａ０−１）中の水酸基のモル数／（ａ０−２）のモル数〕＝１／１以上、１／０．５以下の比率で反応させて得られるエステル結合を有する第３級アミン化合物（ａ１）〔（ａ１）成分〕を、塩化メチル、ジメチル硫酸及びジエチル硫酸から選ばれるアルキル化剤によって４級化反応させることで得られる、（ａ１）成分と（ａ２）成分とを含む混合物〔以下、混合物（ａ）という〕である。（ａ０−１）成分は、トリエタノールアミンが好ましい。また、アルキル化剤は、ジメチル硫酸が好ましい。
【００３５】
混合物（ａ）は、（ａ１）成分と（ａ２）成分とを、（ａ１）成分／（ａ２）成分＝３／９７以上、更に５／９５以上、そして、４０／６０以下、更に３５／６５以下の質量比で含有することが好ましい。また、混合物（ａ）は、（ａ１）成分である第３級アミン化合物及び（ａ２）成分である４級化物の合計が固形分中の９０質量％以上を占めることが好ましい。
【００３６】
（Ａ）成分には合成上、未反応の脂肪酸、未反応のアルカノールアミン、脂肪酸メチルエステル及びその４級化物等の不純物を含んだ混合物として入手されるが、経済的な観点と本発明の課題解決において、本発明の柔軟剤組成物にはそれら不純物を含有していてもかまわない。
【００３７】
また（Ａ）成分として、一般式（１）中のｍが１である化合物、ｍが２である化合物及びｍが３である化合物を含有する混合物を用いることができる。該混合物は、柔軟効果に有効であることから、前記化合物のモル比が、（ｍ＝１の化合物）／（ｍ＝１の化合物とｍ＝２の化合物とｍ＝３の化合物の合計）＝１０／１００以上、４０／１００以下であることが好ましい。また、前記混合物は、柔軟効果に有効であることから、前記化合物のモル比が、（ｍ＝２の化合物）／（ｍ＝１の化合物とｍ＝２の化合物とｍ＝３の化合物の合計）＝３０／１００以上、７０／１００以下であることが好ましい。また、前記混合物は、柔軟効果に有効であることから、前記化合物のモル比が、（ｍ＝３の化合物）／（ｍ＝１の化合物とｍ＝２の化合物とｍ＝３の化合物の合計）＝５／１００以上、４０／１００以下であることが好ましい。好ましくは、これら３つのモル比から選ばれる２つ以上のモル比を満たすことである。
【００３８】
［（Ｂ）成分］
本発明のマイクロカプセルは、所定の香料と任意の香料希釈剤又は溶剤とをカプセル化したものである。例えば、マイクロカプセルの外殻（壁材）に樹脂を用いて、公知の方法により香料が封入される。
【００３９】
（Ｂ）成分のマイクロカプセルの調製法は特に制限されず、公知のマイクロカプセル化方法を採用することができる。具体的には化学的製法（界面重合法、in situ重合法、オリフィス法）、物理化学的方法（コアセルベーション法）、機械的・物理的方法（気中懸濁被覆法、噴霧乾燥法、高速気流中衝撃法）等が挙げられる。マイクロカプセルの外殻としては、ポリウレタン、ポリアミド、メラミン樹脂、尿素樹脂、アルギン酸塩、ゼラチン、アラビアゴム、デンプン等の各種高分子化合物が挙げられる。（Ｂ）成分のマイクロカプセルの外殻が、ポリウレタン、ポリアミド、メラミン樹脂、尿素樹脂、アルギン酸塩、ポリアクリル樹脂、ゼラチン及びアラビアゴムから選ばれる一種以上により構成されていることが好ましい。
【００４０】
本発明のマイクロカプセルの製造方法についてより具体的には、“造る＋使うマイクロカプセル”（小石眞純ら、工業調査会、２００５年発行）や、特開２００８−６３５７５号公報、特開２００６−２４９３２６号公報、特開平１１−２１６３５４号公報、特開平５−２２２６７２号公報等に記載されている方法を採用することができる。
【００４１】
本発明の（Ｂ）成分のマイクロカプセルの好ましい製造方法としては、エチレン−無水マレイン酸共重合体等の乳化剤と香料及び任意の希釈剤又は溶剤を水中に分散させて乳化物を得た後、この乳化物にメラミン−ホルムアルデヒド樹脂等の壁材を添加して撹拌することによりマイクロカプセルのスラリーを得る方法が挙げられる。
【００４２】
予め、壁材を形成する樹脂となるモノマーと、イソブチレン−無水マレイン酸共重合体、アクリル酸−アクリルアミド共重合等の乳化剤とを水中で混合して、壁材・乳化剤混合物を調製した後、この壁材・乳化剤混合物と香料及び任意の希釈剤又は溶剤とを乳化し、この乳化物にホルムアルデヒドを添加して撹拌することによりマイクロカプセルのスラリーを得る方法等が挙げられる。
【００４３】
本発明の（Ｂ）成分のカプセルに包含される香料〔以下、香料（Ｂ１）という〕は、ｌｏｇＰ値が２．０以上、６．０以下である香料化合物〔以下、香料化合物（ｂ１）という〕を９０質量％以上含有する。香料（Ｂ１）は、通常、香料化合物（ｂ１）を含む複数の香料化合物を含有する組成物である。香料（Ｂ１）は、香料化合物（ｂ）を、９５質量％以上含有することが好ましい。また、香料化合物（Ｂ１）は、カプセルの製造容易の観点から、ｌｏｇＰ値が２．０以上であり、２．３以上、更に２．５以上が好ましく、そして、６．０以下であり、５．５以下、更に５．０以下が好ましい。
【００４４】
香料化合物（ｂ１）として、オクタナール（３．０）、ノナナール（３．０）、デカナール（４．０）、リラール（２．２）、リリアール（３．９）、ヘキシルシンナミックアルデヒド（４．９）、アミルシンナミックアルデヒド（４．３）、ｐ，ｔ−ブチルヒドロシンナミックアルデヒド（３．６）、ジメチルテトラヒドロベンズアルデヒド（２．９）、酢酸ヘキシル（４．９）、酢酸トリシクロデセニル（２．４）、酢酸シトロネリル（４．２）、酢酸ゲラニル（３．７）、酢酸リナリル（３．５）、酢酸ターピニル（３．６）、酢酸ｏ，ｔ−ブチルシクロヘキシル（４．１）、酢酸ｐ，ｔ−ブチルシクロヘキシル（４．１）、プロピオン酸アリルシクロヘキシル（２．９）、プロピオン酸トリシクロデセニル（３．９）、カプロン酸アリル（３．２）、サリチル酸アミル（４．６）、サリチル酸ヘキシル（５．１）、サリチル酸ベンジル（４．２）、サリチル酸シクロヘキシル（４．５）、サリチル酸シス−３−ヘキセニル（４．６）、ジヒドロジャスモン酸メチル（２．４）、α−イオノン（３．７）、β−イオノン（３．７）、γ−メチルイオノン（４．０）、α−ダマスコン（３．６）、β−ダマスコン（３．６）、δ−ダマスコン（３．６）、γ−ノナラクトン（２．８）、γ−デカラクトン（３．３）、γ−ウンデカラクトン（３．８）、ネロリンヤラヤラ（３．２）、シクラメンアルデヒド（３．５）、リモネン（４．４）、テトラヒドロリナロール（３．５）、ターピネオール（２．６）、ゲラニオール（２．４）、シトロネロール（３．３）、リナロール（２．６）、テトラヒドロリナロール（３．５）、オイゲノール（３．０）、ジヒドロミルセノール（３．０）、フェニルヘキサノール（３．５）、メチルアンスラニレート（２．０）、メチルβ−ナフチルケトン、（２．８）、イソＥスーパー（４．７）、セドリルメチルエーテル（５．１）、サンダルマイソールコア（花王（株）製）（３．９）、ジャバノール（ジボダン社製）（４．７）、アンブロキサン（５．３）、１，８−シネオール（２．９）、ゲラニルニトリル（３．９）、シトロネリルニトリル（４．４）、11-オキサ-16-ヘキサデカノリド（ムスクR-1、ジボダン製）（４．５）、エチレンブラシレート（４．６）、エチレンドデカンジオエート（４．１）、カシュメラン（４．０）から選ばれる１種以上の香料化合物が挙げられる。また、ｌｏｇＰ値が６．０よりも高い香料として、シクロペンタデカノリド（６．３）、シクロヘキサデカノリド（６．８）、アンブレットリド（６．４）もカプセルに内包する香料として好ましい。ここで、（  ）内の数字はｌｏｇＰ値である。
【００４５】
本発明において、ｌｏｇＰ値とは、有機化合物の水と１−オクタノールに対する親和性を示す係数である。１−オクタノール／水分配係数Ｐは、１−オクタノールと水の２液相の溶媒に微量の化合物が溶質として溶け込んだときの分配平衡で、それぞれの溶媒中における化合物の平衡濃度の比であり、底１０に対するそれらの対数ｌｏｇＰの形で示すのが一般的である。多くの化合物のｌｏｇＰ値が報告されており、Daylight Chemical Information Systems, Inc. (Daylight CIS)などから入手しうるデータベースには多くの値が掲載されているので参照できる。実測のｌｏｇＰ値がない場合には、Daylight CISから入手できるプログラム“CLOGP"等で計算することができる。このプログラムは、実測のｌｏｇＰ値がある場合にはそれと共に、Hansch, Leoのフラグメントアプローチにより算出される“計算ｌｏｇＰ（ＣｌｏｇＰ）”の値を出力する。
【００４６】
フラグメントアプローチは化合物の化学構造に基づいており、原子の数及び化学結合のタイプを考慮している（cf. A. Leo, Comprehensive Medicinal Chemistry, Vol.4, C. Hansch, P.G. Sammens, J.B. Taylor and C.A. Ramsden, Eds., p.295, Pergamon Press, 1990）。このＣｌｏｇＰ値を、化合物の選択に際して実測のｌｏｇＰ値の代わりに用いることができる。本発明では、ｌｏｇＰの実測値があればそれを、無い場合はプログラムCLOGP v4.01により計算したＣｌｏｇＰ値を用いる。
【００４７】
なお（Ｂ）成分のマイクロカプセルは、香料（Ｂ１）の他に、希釈剤、溶剤、固化剤を内包してもよく、希釈剤ないし溶剤としてはエチレングリコール、プロピレングリコール、ジプロピレングリコール、グリセリンを挙げることができ、脂肪アルコール、脂肪酸、脂肪酸の低級アルコール又はグリセリンエステルを挙げることができる。
【００４８】
（Ｂ）成分のマイクロカプセルの１次平均粒径は、１μｍ以上が好ましく、そして、１００μｍ以下、更に５０μｍ以下、更に２０μｍ以下が好ましい。本発明のマイクロカプセルの平均粒径は、ＨＯＲＩＢＡ製レーザー回折／散乱式粒度分布測定装置ＬＡ−９１０によって求められたメジアン径である。なお、（Ｂ）成分は、保存安定性を損なわない程度に一部凝集していてもよい。
【００４９】
［（Ｃ）成分］
（Ｃ）成分は、下記（ｃ−１）及び（ｃ−２）から選ばれる１種以上の化合物である。
（ｃ−１）：下記一般式（２）で表される化合物であって、Ｒ21、Ｒ22、Ｒ23及びＲ24のうち１個以上、４個以下は、アリル位の炭素原子に水酸基を有し、該炭素原子が第１炭素原子または第２炭素原子である、香料として用いられるアルコール化合物（以下、「アリルアルコール性香料」という。）から水酸基を除いた残基（以下、「アリルアルコール性香料残基」という。）であり、残りが独立に、水素原子又は置換基を有していてもよい炭素数１以上、３０以下の炭化水素基（但し、香料として用いられるフェノール化合物からフェノール性水酸基を除いた残基を除く）である化合物。
（ｃ−２）：下記一般式（２）で表される化合物であって、Ｒ21、Ｒ22、Ｒ23及びＲ24のうち１個又は２個は、香料として用いられるフェノール化合物（以下、「フェノール性香料」という。）からフェノール性水酸基を除いた残基（以下、「フェノール性香料残基」という。）であり、残りが独立に、置換基を有していてもよい炭素数１以上、３０以下の炭化水素基（但し、香料として用いられるフェノール化合物からフェノール性水酸基を除いた残基を除く）である化合物。
【００５０】
【化２】
2014125685.tif 000003
【００５１】
ここで、（Ｃ）成分に関して、“香料として用いられるアルコール化合物”と“香料として用いられるフェノール化合物”は、書籍や文献などの刊行物において香料成分（香料素材）として記載されているアルコール又はフェノール骨格を有する化合物を指すことができる。その他に、当該技術分野に属する者が、経験的に香料素材として使用できることを知っているアルコール又はフェノール骨格を有する化合物を含むことができる。例えば、特許文献に記載された香料化合物、「香料と調香の基礎知識」中島基貴著、産業図書（株）発行  第２刷（１９９６年５月３０日）、「香料の実際の知識」印藤元一著、東洋経済新報社などの書籍に記載された化合物を挙げることができる。
【００５２】
（Ｃ）成分としては、一般式（２）中のＲ21、Ｒ22、Ｒ23及びＲ24が全て同一の基である化合物と、Ｒ21、Ｒ22、Ｒ23及びＲ24の一部又は全部が異なる基である化合物があり、いずれを使用することもできる。
【００５３】
（ｃ−１）成分について説明する。
（ｃ−１）成分に関して、アリル位の炭素原子に水酸基を有し、該炭素原子が第１炭素原子である、香料として用いられるアルコール化合物を、以下、「１級アリルアルコール性香料」という。また、アリル位の炭素原子に水酸基を有し、該炭素原子が第２炭素原子である、香料として用いられるアルコール化合物を、以下、「２級アリルアルコール性香料」という。「アリルアルコール性香料」という場合、これら「１級アリルアルコール性香料」と「２級アリルアルコール性香料」の両方が含まれる。
【００５４】
従って、ここでいうアリルアルコール性香料は、香料としても用いられるアルコール性香料であって、且つアリル位（allylic position）に水酸基を有するアルコール化合物を指し、アリル基を有する化合物に限定されない。
【００５５】
（ｃ−１）成分を構成するアリルアルコール性香料の具体例としては、１級アリルアルコール性香料として、ゲラニオール、ネロール、シス-3-ヘキセノール、トランス-2-ヘキセノール、3-フェニル-2-プロペン-1-オール（シンナミックアルコール）、トランス-2-シス-6-ノナジエナール、2-エチル-4-(2,2,3-トリメチル-3-シクロペンテン-1-イル)-2-ブテン-1-オール（バクダノール）、2-メチル-4-(2,2,3-トリメチル-3-シクロペンテン-1-イル)-2-ブテン-1-オール（サンダルマイソルコア）、3,7,11-トリメチル-2,6,10-ドデカトリエン-1-オール（ファルネソール）、2-メチル-5-(2,3-ジメチルトリシクロ[2.2.1.02,6]ヘプト-3-イル-2-ペンテン-1-オール（サンタロール）が挙げられ、２級のアリルアルコール性香料として、4-メチル-3-デセン-5-オール（ウンデカベルトール）、1-オクテン-3-オールが挙げられる。中でも、繊維表面からの香り立ちを強めるリフティング効果の高い香りとして、ゲラニオール、ネロール、ウンデカベルトール及びサンダルマイソルコアから選ばれる香料化合物が好ましい。
【００５６】
（ｃ−１）成分は、一般式（２）中のＲ21、Ｒ22、Ｒ23及びＲ24として、水素原子又は置換基を有していてもよい炭素数１以上、３０以下の炭化水素基（但し、香料として用いられるフェノール化合物からフェノール性水酸基を除いた残基を除く）を有することができる。炭素数１以上、３０以下の炭化水素基としては、置換基を有していてもよい炭素数１以上、３０以下の脂肪族炭化水素基、置換基を有していてもよい炭素数７以上、３０以下のアラルキル基が挙げられる。脂肪族炭化水素基は、飽和脂肪族炭化水素基又は不飽和脂肪族炭化水素基が挙げられる。
【００５７】
なお、前記脂肪族炭化水素基やアラルキル基が有していてもよい置換基としては、途中でエステル結合、アミド結合、エーテル結合などで分断されていてもよい炭素数１以上、１０以下のアルキル基、炭素数２以上、１０以下のアルケニル基、炭素数１以上、１０以下のアルコキシ基、又は炭素数２以上、１０以下のアシル基等を挙げることができる。
【００５８】
置換基を有していてもよい炭素数１以上、３０以下の炭化水素基としては、香料として用いられるアルコール化合物（以下、「アルコール性香料」という。）から水酸基を除いた残基（以下、「アルコール性香料残基」という。）が好ましい。なお、アルコール性香料残基は、前記のアリルアルコール性香料残基を含む概念であるが、（ｃ−１）成分では、一般式（２）の構造を説明するための合理的観点から区別して用いるものとする。
【００５９】
適度な香りの持続性を発揮させる観点から、炭素数１以上、更に２以上、２０以下、更に１８以下の１級アルコールから水酸基を除いた残基が好ましい。１級アルコールの具体例としてはエタノール、ブタノール等の低級アルコール；ラウリルアルコール、ミリスチルアルコール、パルミチルアルコール、ステアリルアルコール等の高級アルコール；２−エチルヘキサノール、４−ブチルオクタノール等のゲルベアルコールが挙げられる。炭素数１以上、２０以下の１級アルコールから水酸基を除いた残基には、アルコール性香料残基も含まれる。
【００６０】
前記したように（ｃ−１）成分は、一般式（２）中のＲ21、Ｒ22、Ｒ23及びＲ24のうち、２個以上、更に３個以上、そして、４個以下、更に４個がアリルアルコール性香料残基であることが好ましい。更には、アリルアルコール性香料は、ゲラニオール、ネロール、ウンデカベルトール及びサンダルマイソルコアから得られるアリルアルコール性香料であることがより好ましい。
【００６１】
（ｃ−１）成分としては、以下の具体例を挙げることができる。それぞれのグループを混合したものであってもよい。すなわち、
（ｃ−１−１）一般式（２）で表される化合物であって、Ｒ21、Ｒ22、Ｒ23及びＲ24のうち１個以上、３個以下がアリルアルコール性香料残基、好ましくはゲラニオール、ネロール、ウンデカベルトール及びサンダルマイソルコアから選ばれるアリルアルコール性香料残基であり、残りが独立に、水素原子、置換基を有していてもよい炭素数１以上、３０以下の脂肪族炭化水素基、又は置換基を有していてもよい炭素数７以上、３０以下のアラルキル基である化合物、
（ｃ−１−２）一般式（２）で表される化合物であって、Ｒ21、Ｒ22、Ｒ23及びＲ24のうち１個以上、３個以下がアリルアルコール性香料残基、好ましくはゲラニオール、ネロール、ウンデカベルトール及びサンダルマイソルコアから選ばれるアリルアルコール性香料残基であり、残りが独立に、置換基を有していてもよい炭素数１以上、３０以下の飽和若しくは不飽和の脂肪族炭化水素基である化合物、
（ｃ−１−３）一般式（２）で表される化合物であって、Ｒ21、Ｒ22、Ｒ23及びＲ24のうち１個以上、３個以下がアリルアルコール性香料残基、好ましくはゲラニオール、ネロール、ウンデカベルトール及びサンダルマイソルコアから選ばれるアリルアルコール性香料残基であり、残りが独立に、炭素数１以上、３０以下のアルコール性香料残基（但し、アリルアルコール性香料残基を除く）である化合物、
（ｃ−１−４）一般式（２）で表される化合物であって、Ｒ21、Ｒ22、Ｒ23及びＲ24のうち１個以上、３個以下がアリルアルコール性香料残基、好ましくはゲラニオール、ネロール、ウンデカベルトール及びサンダルマイソルコアから選ばれるアリルアルコール性香料残基であり、残りが独立に、炭素数１以上、更に２以上、２０以下、更に１８以下の１級アルコールから水酸基を除いた残基である化合物であり、更に好ましくは、該１級アルコールがエタノール、ブタノール等の低級アルコール；ラウリルアルコール、ミリスチルアルコール、パルミチルアルコール、ステアリルアルコール等の高級アルコール；２−エチルヘキサノール、４−ブチルオクタノール等のゲルベアルコールであり、
（ｃ−１−５）一般式（２）で表される化合物であって、Ｒ21、Ｒ22、Ｒ23及びＲ24のうち１個以上、２個以下がアリルアルコール性香料残基、好ましくはゲラニオール、ネロール、ウンデカベルトール及びサンダルマイソルコアから選ばれるアリルアルコール性香料残基であり、１個又は２個が独立に、炭素数１以上、３０以下のアルコール性香料残基、及び１個又は２個が炭素数１以上、２０以下の１級アルコールから選ばれるアルコール性香料残基以外のアルコール性残基から選ばれる化合物であり、更に好ましくは、該１級アルコールがエタノール、ブタノール等の低級アルコール；ラウリルアルコール、ミリスチルアルコール、パルミチルアルコール、ステアリルアルコール等の高級アルコール；２−エチルヘキサノール、４−ブチルオクタノール等のゲルベアルコールであり、又は
（ｃ−１−６）一般式（２）で表される化合物であって、Ｒ21、Ｒ22、Ｒ23及びＲ24の全部がアリルアルコール性香料残基、好ましくはゲラニオール、ネロール、ウンデカベルトール及びサンダルマイソルコアから選ばれる１種以上のアリルアルコール性香料残基である化合物、である。
【００６２】
次に（ｃ−２）成分について説明する。
（ｃ−２）成分を構成する本発明のフェノール性香料とは、芳香族環の置換基として水酸基を有する芳香族化合物であって、且つ香料として用いられる化合物を指し、フェノール自体を意味するものではない。また文献によっては香料分類のうち、フェノール性香料をアルコール性香料に分類するものもあるが、本発明では相違する香料化合物として扱う。
【００６３】
フェノール性香料の具体例としては、4-(3-オキソブチル)フェノール（ラズベリーケトン）、オイゲノール、イソオイゲノール、4-ヒドロキシ-3-メトキシベンズアルデヒド（バニリン）、3-エトキシ-4-ヒドロキシベンズアルデヒド（エチルバニリン）、チモール、カルバクロール、3-メチル-4-イソプロピルフェノールが挙げられ、中でも、繊維表面に爽やかな甘さのある香りを持続的に付与することができることから、ラズベリーケトン、バニリン及びエチルバニリンから選ばれる香料化合物が好ましい。
【００６４】
なお、フェノール性香料残基について、フェノール性香料からフェノール性水酸基を除いた残基とは、芳香族環に置換している水酸基を除いた残基を指す。
【００６５】
（ｃ−２）成分は、一般式（２）中のＲ21、Ｒ22、Ｒ23及びＲ24として、水素原子又は置換基を有していてもよい炭素数１以上、３０以下の炭化水素基（但し、フェノール性香料残基を除く）を有する。炭素数１以上、３０以下の炭化水素基としては、置換基を有していてもよい炭素数１以上、３０以下の脂肪族炭化水素基、置換基を有していてもよい炭素数７以上、３０以下のアラルキル基が挙げられる。脂肪族炭化水素基は、飽和脂肪族炭化水素基又は不飽和脂肪族炭化水素基が挙げられる。
【００６６】
なお、前記脂肪族炭化水素基やアラルキル基が有していてもよい置換基としては、途中でエステル結合、アミド結合、エーテル結合などで分断されていてもよい炭素数１以上、１０以下のアルキル基、炭素数２以上、１０以下のアルケニル基、炭素数１以上、１０以下のアルコキシ基、又は炭素数２以上、１０以下のアシル基等を挙げることができる。
【００６７】
炭素数１以上、３０以下の炭化水素基としては、アルコール性香料残基が好ましい。なお、（ｃ−２）成分では、アルコール性香料残基は、アリルアルコール性香料残基を含む概念である。
【００６８】
（ｃ−２）成分としては、フェノール性香料残基を導入した（Ｃ）成分の水系組成物中における分解を抑制し、該組成物を適用した繊維表面から香料化合物を長期に亘って安定に徐放させる効果を得る観点から、（ｃ−２）成分において、Ｒ21、Ｒ22、Ｒ23及びＲ24のうち２個又は３個がアルコール性香料残基であることが好ましい。更にはフェノール性香料の香りを感知するのに十分な量を放出させるという観点から、２個以上の基が、香料として用いられる１級アルコール化合物から水酸基を除いた残基であることが好ましい。
【００６９】
（ｃ−２）として好ましい例としては、以下の具体例を挙げることができる。それぞれのグループを混合したものであってもよい。
（ｃ−２−１）Ｒ21、Ｒ22、Ｒ23及びＲ24のうち１個がフェノール性香料残基であり、残り３個がアルコール性香料残基である化合物、
（ｃ−２−２）Ｒ21、Ｒ22、Ｒ23及びＲ24のうち２個がフェノール性香料残基であり、残り２個がアルコール性香料残基である化合物、
（ｃ−２−３）Ｒ21、Ｒ22、Ｒ23及びＲ24のうち１個がフェノール性香料残基であり、２個がアルコール性香料残基、残り１個がその他の有機基である化合物
が挙げられる。その他有機基としては、アルコール系香料性残基やフェノール性香料残基以外の残基であって、例えば、前記の１級アルコールなどを挙げることができる。
【００７０】
（ｃ−２）成分を構成するアルコール性香料としては、水酸基が結合する炭素原子が第１炭素原子、第２炭素原子及び第３炭素原子であることにより分類することができる。なお、（ｃ−１）成分においても、以下のアルコール性香料残基から選ばれる基を有することができる。
【００７１】
第１炭素原子の場合は１級アルコール性香料であり、以下のものが挙げられる。
（ｃ−２）成分を構成する１級アルコール性香料である１級の脂肪族アルコールとしては、トランス-2-ヘキセノール、9-デセノール、10-ウンデセノール、シス-3-ヘキセノールが挙げられる。１級アルコール性香料である１級のテルペン型アルコール及びセスキテルペン型アルコールとしては、ゲラニオール、ネロール、シトロネロール、2-イソプロペニル-5-メチル-4-ヘキセン-1-オール、テトラヒドロゲラニオール、ヒドロキシシトロネロール、6,6-ジメチル-ビシクロ[3.1.1]-2-ヘプテン-2-エタノール、3,7,11-トリメチル-2,6,10-ドデカトリエン-1-オール、6-メタノアズレン-3-メタノール、2-メチル-5-(2,3-ジメチルトリシクロ[2.2.1.02,6]ヘプト-3-イル-2-ペンテン-1-オールが挙げられる。１級アルコール性香料である１級の脂環式アルコールとしては、2,4-ジメチル-3-シクロヘキセン-1-メタノール、4-イソプロピルシクロヘキサンメタノール、2-エチル-4-(2,2,3-トリメチル-3-シクロペンテン-1-イル)-2-ブテン-1-オール、2-メチル-4-(2,2,3-トリメチル-3-シクロペンテン-1-イル)-2-ブテン-1-オール、2-メチル-4-(2,2,3-トリメチル-3-シクロペンテン-1-イル)-ブタン-1-オールが挙げられる。１級アルコール性香料である１級の芳香族アルコールとしては、ベンジルアルコール、2-フェニルエチルアルコール、フェノキシエチルアルコール、3-フェニル-2-プロペン-1-オール、3-メチル-5-フェニルペンタノール、3-フェニルプロピルアルコール、2-メチル-4-フェニル-1-ペンタノール、4-メトキシベンジルアルコール、2,2-ジメチル-3-(3-メチルフェニル)プロパノールが挙げられる。また上記以外の（ｃ−１）の１級アリルアルコール性香料も含まれる。
【００７２】
また、第２炭素原子の場合は２級アルコール性香料であり以下のものが挙げられる。
（ｃ−２）成分を構成する２級アルコール性香料の好ましい具体例としては、以下のものが挙げられる。２級の脂肪族アルコールとして、3-オクタノール、1-オクテン-3-オール、4-メチル-3-デセン-5-オールが挙げられる。２級のテルペン型アルコール及びセスキテルペン型アルコールとして、1,7,7-トリメチル-ビシクロ[2.2.1]ヘプタン-2-オール、1-メチル-4-イソプロペニルシクロヘキサン-3-オール、3,7-ジメチル-7-メトキシオクタン-2-オール、ｌ-メントールが挙げられる。２級の脂環式アルコールとして、4-イソプロピルシクロヘキサノール(フォルロージア)、1-(4-イソプロピルシクロヘキシル)-エタノール、p-tert-ブチルシクロヘキサノール、o-tert-ブチルシクロヘキサノール、1-(2-tert-ブチルシクロヘキシルオキシ)-2-ブタノール、3-メチル-5-(2,2,3-トリメチル-3-シクロペンテン-1-イル)-ペンタン-2-オール、3-メチル-5-(2,2,3-トリメチル-3-シクロペンテン-1-イル)-4-ペンテン-2-オール、3,3-ジメチル-5-(2,2,3-トリメチル-3-シクロペンテン-1-イル)-4-ペンテン-2-オール、1-(2,2,6-トリメチルシクロヘキシル)-3-ヘキサノール、α,β,2,2,6-ペンタメチルシクロヘキシルプロパノールが挙げられる。２級の芳香族アルコールとしては、1-フェニルエチルアルコールが挙げられる。また上記以外の（ｃ−１）の２級アリルアルコール性香料も含まれる。
【００７３】
また、第３炭素原子の場合は３級アルコール性香料であり以下のものが挙げられる。
（ｃ−２）成分を構成する３級アルコール性香料の好ましい具体例としては、2-メチル-6-メチレン-7-オクテン-2-オール（ミルセノール）、テルピネオール、リナロール、2,6-ジメチルヘプタノール、2-メチル-3-ブテン-2-オール、アンブリノール、ジヒドロリナロール、テトラヒドロリナロール、トラヒドロムゴール（2,6-ジメチル-2-オクタノールと3,7-ジメチル-4,6-オクタジエン-3-オール）、2,6-ジメチル-7-オクテン-2-オール（ジヒドロミルセノール）、2,6-ジメチル-2-オクタノール（テトラヒドロミルセノール）、オシメノール、3,6-ジメチル-3-オクタノール、エチルリナロール、テルピネオール、ジヒドロテルピネオール、4-ツヤノール、ネロリドール、ビサボロール、パチュリアルコール、3,7,11,15-テトラメチル-1-ヘキサデセン-3-オール（イソフィトール）、ゲラニルリナロール、スクラレオール、α,α-ジメチルフェニルエチルアルコール、p-メチルベンジルジメチルカルビノール、ジメチルフェニルエチルカルビノール、3-メチル-1-フェニル-3-ペンタノール、2-イソブチル-4-メチルテトラヒドロ-2H-ピラン-4-オール（フロロール）等が挙げられる。
【００７４】
また、（ｃ−２）成分のようにフェノール性香料の残基を導入したケイ酸エステルの水系組成物中における分解を抑制し、該組成物を適用した繊維表面から香料化合物を長期に亘って安定に徐放させる効果を得る観点から、アルコール性香料としては、炭素数６以上、更に９以上、そして、２０以下、更に１５以下、更に１３以下のものが好ましい。中でも、水酸基が環状炭化水素基を構成する骨格炭素原子に１個の共有結合を介して結合した２級アルコール性香料である、メントール及びフォルロージアから選ばれる２級アルコール性香料が好ましい。従って、（ｃ−２）成分は、一般式（２）で表される化合物であって、Ｒ21、Ｒ22、Ｒ23及びＲ24として、ラズベリーケトン、バニリン及びエチルバニリンから選ばれるフェノール性香料から水酸基を除いた残基と、メントール及びフォルロージアから選ばれるアルコール性香料から水酸基を除いた残基とを有することが好ましい。
【００７５】
［液体柔軟剤組成物］
本発明の液体柔軟剤組成物において、（Ａ）成分の含有量は、十分な柔軟効果を得る上で、好ましくは５質量％以上、より好ましくは８質量％以上、更により好ましくは１０質量％以上であり、そして、保存安定性の観点から、好ましくは２０質量％以下、より好ましくは１８質量％以下、更により好ましくは１６質量％以下である。
【００７６】
また、本発明の液体柔軟剤組成物において、（Ｂ）成分の含有量は、十分な賦香効果を得る上で、好ましくは０．０１質量％以上、より好ましくは０．０５質量％以上、更に好ましくは０．１質量％以上であり、そして、保存安定性の観点から、好ましくは０．５質量％以下、より好ましくは０．４質量％以下、更に好ましくは０．３質量％以下である。
【００７７】
なお、（Ｂ）成分は、（Ｂ）成分の質量に対する内包する香料の質量の比、すなわち、内包する香料の質量／（Ｂ）成分の質量の質量比が、６０／１００以上、７０／１００であることが好ましい。
【００７８】
また、本発明の液体柔軟剤組成物において、（Ｃ）成分の含有量は、（Ｂ）成分により、更に（Ｂ）成分と後述する（Ｄ）成分との併用により、フレッシュ感など本来親水的な香料成分に特徴的な賦香効果を得る上で、好ましくは０．０１質量％以上、より好ましくは０．０３質量％以上、更に好ましくは０．０５質量％以上であり、そして、保存安定性の観点から好ましくは０．５質量％以下、より好ましくは０．４質量％以下、更により好ましくは０．３質量％以下である。
【００７９】
また（Ｂ）成分と（Ｃ）成分の質量比は、匂い立ちを抑制するために、（Ｂ）／（Ｃ）で、好ましくは１／１０以上、より好ましくは１／８以上、更により好ましくは１／５以上であり、バランスのとれた香調を得るために、好ましくは１０／１以下、より好ましくは８／１以下、更により好ましくは５／１以下である。
【００８０】
本発明の柔軟剤組成物の残部は、水である。水は、脱イオン水、脱イオン水に次亜塩素酸塩を少量配合した滅菌した水、水道水などを用いることができる。
【００８１】
本発明の柔軟剤組成物中の（Ｂ）成分と（Ｃ）成分は、（Ａ）成分で示される第３級アミン化合物及びその４級化物を含有することで、それぞれが安定に分散した状態で含有することが可能となる。理由としては本発明の（Ｂ）成分の表面は親水性であり、一方（Ｃ）成分は疎水性化合物である。（Ａ）成分が組成物中で構成する会合構造により、それぞれが安定に存在する領域が異なることが考えられる。
【００８２】
本発明の液体柔軟剤組成物の３０℃の時のｐＨは２．５以上、４．０以下であり、好ましくは３．５以下である。処理後の繊維製品の発香性及び残香性の両方の点、並びに保存安定性の点からこの範囲が好ましい。
【００８３】
ｐＨは、「ＪＩＳ  Ｋ  ３３６２；２００８の項目８．３に従って３０℃において測定する。ｐＨの調整は、アルカリ剤と酸剤によって調整されるが、酸剤は後述するクエン酸、コハク酸などの有機酸を用いてもよい。
【００８４】
本発明の液体柔軟剤組成物の粘度（３０℃）は、使用勝手の点で、５ｍＰａ・ｓ以上、１０ｍＰａ・ｓ以上、そして、２００ｍＰａ・ｓ以下、更に１５０ｍＰａ・ｓ以下が好ましい。組成物の粘度は、Ｂ型粘度計を用いて、Ｎｏ．１〜Ｎｏ．３ローターの何れかのローターを用い、６０ｒ／ｍｉｎで、測定開始から１分後の指示値である。液体柔軟剤組成物は３０±１℃に調温して測定する。
【００８５】
本発明の液体柔軟剤組成物は、以下に示す成分を含有することが好ましい。
【００８６】
［（Ｄ）（Ｂ）成分、及び（Ｃ）成分以外の香料］
本発明の液体柔軟剤組成物は、（Ｄ）成分として、（Ｂ）成分及び（Ｃ）成分以外の香料を含有してもよい。なお、（Ｂ）成分以外の香料とは、（Ｂ）成分が内包する香料以外の香料の意味である。また、（Ｃ）成分以外の香料とは、（Ｃ）成分を構成する基として結合する香料化合物以外の香料化合物という意味である。
【００８７】
（Ｄ）成分は、液体柔軟剤組成物中に分散させた香料であってもよい。本発明では、ケイ酸等の他の化合物と結合せずに、又はマイクロカプセルに内包されずに、液体柔軟剤組成物中に分散させた香料を外香料という場合がある。なお、（Ｂ）成分のカプセルの崩壊により組成物中に溶出した香料や（Ｃ）成分の分解により組成物中に放出された香料も、外香料とみなすことができる。
【００８８】
（Ｄ）成分、特に外香料は、（Ｂ）成分に用いられる香料化合物や（Ｃ）成分に導入される基として用いられる香料化合物と同じ香料化合物を用いても、異なる香料化合物を用いても良い。また、（Ｄ）成分、特に外香料の香調も、（Ｂ）成分や（Ｃ）成分から放出される香料の香調と同じでも異なっていてもよい。また、外香料として使用できる香料としては、制限がなく、例えば「香料と調香の基礎知識、中島基貴  編著、産業図書株式会社発行、２００５年４月２０日  第４刷」に記載の香料や特許文献などを通じて柔軟剤に配合することが知られている香料の他に、香料メーカーが独自に調製した香料成分又は調香した香料組成物そのものを使用することができる。例えば、β-イオノン（３．７）、γ-ウンデカラクトン（３．８）、γ-ノナラクトン（２．８）、γ-メチルイオノン（４．０）、アンブロキサン（５．３）、イソＥスーパー（４．７）、エチルバニリン（１．８）、エチレンブラッシレート（４．６）、オイゲノール（３．０）、カシュメラン（ＩＦＦ社製）（４．０）、クマリン（１．５）、ゲラニオール（２．４）、酢酸o,t-ブチルシクロヘキシル（４．１）、酢酸シトロネリル（４．２）、酢酸ジメチルベンジルカルビニル（２．８）、サンダルマイソールコア（３．９）、ジヒドロジャスモン酸メチル（２．４）、ジヒドロミルセノール（３．０）、ジメチルテトラヒドロベンズアルデヒド（２．９）、ジャバノール（ジボダン製）（４．７）、ネロリンヤラヤラ（３．２）、ハバノライド（フィルメニッヒ製）（６．２）、フルーテート（花王）（３．４）、ペオニル（ジボダン製）（４．０）、ヘキシルシンナミックアルデヒド（４．９）、ヘリオトロピン（１．１）、メチルβ-ナフチルケトン（２．８）、メチルアンスラニレート（２．０）、ラズベリーケトン（１．１）、リモネン（４．４）、リリアール（３．９）を挙げることができる。なお（  ）内の数値はｌｏｇＰ値である。前記（Ｃ）成分及び（Ｄ）成分で挙げた香料を使用してもよい。
【００８９】
なお、本発明の液体柔軟剤組成物は、香料の希釈剤や保留剤を含有することができる。希釈剤、保留剤の好適な例としては、ジプロピレングリコール、パルミチン酸イソプロピルエステル、ジエチルフタレート、ペンジルベンゾエート、流動パラフィン，イソパラフィン、油脂等を挙げることができる。（Ｄ）成分と保留剤の合計に対する保留剤の割合は０質量％以上、２０質量％以下が好ましい。なおこれら希釈剤及び保留剤は（Ｂ）成分のマイクロカプセルの香料にも用いることができる。
【００９０】
（Ｄ）成分は、（Ｂ）成分及び（Ｃ）成分と併用することで、従来よりも自由度の高い香料設計が可能となり、それら香料システムを用いた本発明の柔軟剤組成物は、繊維製品に処理を施すことで、目的とする香調、例えば、フレッシュ且つリッチな持続性に優れた匂いを、付加させることができる。
【００９１】
本発明の液体柔軟剤組成物において、（Ｄ）成分の含有量は、０．１質量％以上、より好ましくは０．３質量％以上、更に好ましくは０．５質量％以上であり、保存安定性及び他の香料添加剤とのバランスの観点から、好ましくは２．０質量％以下、より好ましくは１．８質量％以下、更により好ましくは１．５質量％以下である。なお、液体柔軟剤組成物中の（Ｄ）成分は、製品に合わせてその添加量を調整することは容易である。
【００９２】
また、本発明の液体柔軟剤組成物において、（Ｂ）成分、（Ｃ）成分及び（Ｄ）成分の香料化合物としての合計の含有量は、アルコール性香料残基はアルコール性香料として換算して、繊維製品に対する十分に賦香するために、好ましくは０．３質量％以上、より好ましくは０．５質量％以上、更に好ましくは１．０質量％以上であり、保存安定性及び他の香料添加剤とのバランスの観点から、好ましくは２．５質量％以下、より好ましくは２．３質量％以下、更により好ましくは２．０質量％以下である。
【００９３】
香料の組み合わせとして好ましいものは、（Ｂ）成分のマイクロカプセルに内包される香料がｌｏｇＰ値２．０以上、６．０以下の香料化合物を９０質量％以上含有し、（Ｃ）成分のケイ酸エステルのＲ21、Ｒ22、Ｒ23及びＲ24として固定化される香料化合物中、ｌｏｇＰ値３以上、５以下の化合物が５０質量％以上を占め、（Ｄ）成分の香料中、ｌｏｇＰ値が１．０以上、５．０以下の香料化合物が５０質量％以上を占めることである。これら条件において、前記の濃度制限及び比率制限を加えることが更により好ましい。
【００９４】
［（Ｅ）非イオン界面活性剤］
本発明の液体柔軟剤組成物は、（Ｅ）成分として非イオン界面活性剤を含有することが好適である。但し、（Ｅ）成分からは、後述する（Ｆ）成分を除くものとする。
【００９５】
（Ｅ）成分としては、炭素数８以上、２０以下のアルキル基又はアルケニル基とオキシアルキレン基とを有する非イオン界面活性剤が好ましく、下記一般式（Ｅ１）で表される非イオン界面活性剤がより好ましい。
Ｒ1e−Ａ−〔（Ｒ2eＯ）x−Ｒ3e〕y      （Ｅ１）
〔式中、Ｒ1eは、炭素数８以上、更に１０以上、そして、１８以下、更に１６以下のアルキル基又はアルケニル基であり、Ｒ2eは、炭素数２又は３のアルキレン基、好ましくはエチレン基であり、Ｒ3eは、炭素数１以上、３以下のアルキル基又は水素原子であり、ｘは２以上、更に５以上、更に１０以上、そして、１００以下、更に８０以下、更に６０以下の数であり、Ａは−Ｏ−、−ＣＯＯ−、−ＣＯＮ−又は−Ｎ−であり、Ａが−Ｏ−又は−ＣＯＯ−の場合ｙは１であり、Ａが−ＣＯＮ−又は−Ｎ−の場合ｙは１又は２である。〕
【００９６】
一般式（Ｅ１）の化合物の具体例としては、以下の式（Ｅ１−１）〜（Ｅ１−３）で表される化合物を挙げることができる。
Ｒ1e−Ｏ−（Ｃ2Ｈ4Ｏ）k−Ｈ    （Ｅ１−１）
〔式中、Ｒ1eは前記の意味を示す。ｋは８以上、更に１０以上、そして、１００以下、更に６０以下の数である。〕
Ｒ1e−Ｏ−［（Ｃ2Ｈ4Ｏ）s／（Ｃ3Ｈ6Ｏ）t］−Ｈ    （Ｅ１−２）
〔式中、Ｒ1eは前記の意味を示す。ｓ及びｔはそれぞれ独立に２以上、更に５以上、そして、４０以下の数であり、（Ｃ2Ｈ4Ｏ）と（Ｃ3Ｈ6Ｏ）はランダム又はブロック付加体であってもよい。“／”は（Ｃ2Ｈ4Ｏ）と（Ｃ3Ｈ6Ｏ）の結合順序を問わないことを示す符号である。〕
【００９７】
【化３】
2014125685.tif 000004
【００９８】
〔式中、Ｒ1e、Ｒ3eは前記の意味を示す。Ａは  −Ｎ＜  又は  −ＣＯＮ＜  であり、ｕ及びｖはそれぞれ独立に０以上、４０以下の数であり、ｕ＋ｖは５以上、６０以下、更に４０以下の数である。〕
【００９９】
本発明では、（Ｅ）成分として、一般式（Ｅ１−１）で示される非イオン界面活性剤を用いることが好ましい。
【０１００】
（Ｅ）成分は、組成物の粘度を低下させることができることから、柔軟剤組成物の各成分の混合から充填までの製造を容易にする一方で、本発明の（Ｂ）成分と（Ｃ）成分を組成物中で安定に含有させる。
【０１０１】
本発明の液体柔軟剤組成物において、（Ｅ）成分の含有量は、０．５質量％以上、更に１．０質量％以上が好ましく、そして、長期保存後の増粘の観点から、８質量％以下、更に５質量％以下が好ましい。
【０１０２】
［（Ｆ）脂肪酸多価アルコール誘導体］
本発明の液体柔軟剤組成物は、保存安定性を改善する目的で（Ｆ）成分として炭素数８以上、２２以下の飽和又は不飽和脂肪酸と多価アルコールとのエステル化合物を含有してもよい。（Ｆ）成分としては、トリグリセライド、ジグリセライド、モノグリセライド、ペンタエリスリトールのモノ、ジ、トリ脂肪酸エステル、ソルビタン脂肪酸エステルを挙げることができる。
【０１０３】
本発明の液体柔軟剤組成物において、（Ｆ）成分の含有量は、０．１質量％以上、更には０．３質量％以上が好ましく、そして、５．０質量％以下が好ましい。
【０１０４】
［（Ｇ）（Ａ）成分以外の界面活性剤］
本発明の液体柔軟剤組成物は、（Ｇ）成分として、（Ａ）成分以外の界面活性剤を含有することができる。
【０１０５】
（Ｇ）成分としては、（Ａ）成分以外の陽イオン界面活性剤［以下（Ｇ−１）成分という場合もある。］が挙げられる。（Ｇ−１）成分は、本発明の液体柔軟剤組成物の保存安定性の点から好ましい。（Ｇ−１）成分としては、具体的には、窒素原子に結合する基のうち、１つ又は２つが炭素数が１０以上、２２以下のアルキル基又はアルケニル基であり、残りがヒドロキシ基を有していてもよい炭素数１以上、４以下のアルキル基、ベンジル基、好ましくはメチル基である第３級アミン化合物及びその酸塩、並びに前記第３級アミン化合物の４級化物が挙げられる。炭素数１０以上、２２以下のアルキル基又はアルケニル基を１つ有し、ベンジル基を１つ有する場合は、柔軟剤組成物に殺菌効果を付与するために有効である。４級化に用いるアルキル化剤としては（Ａ）成分で記載した化合物を用いることができる。
【０１０６】
（Ｇ−１）成分としては、下記（Ｉ）〜（III）から選ばれる１種以上の陽イオン界面活性剤が好ましく、更に（II）から選ばれる陽イオン界面活性剤が好ましい。
（Ｉ）アルキル基又はアルケニル基の炭素数が１０以上、２２以下のジ長鎖アルキル又はアルケニルジメチルアンモニウム塩、
（II）アルキル基又はアルケニル基の炭素数が１０以上、２２以下のモノ長鎖アルキル又はアルケニルトリメチルアンモニウム塩、又は
（III）アルキル基又はアルケニル基の炭素数が１０以上、２２以下のモノ長鎖アルキルジメチルベンジルアンモニウム塩
【０１０７】
具体的には塩化ジデシルジメチルアンモニウム塩、塩化ラウリルトリメチルアンモニウム塩、塩化ミリスチルトリメチルアンモニウム塩、塩化ラウリルジメチルベンジルアンモニウム塩、を挙げることができる。
【０１０８】
本発明の液体柔軟剤組成物において、（Ｇ−１）成分の含有量は、液性の粘度を低下させる性質や殺菌性を高める上で、０．０１質量％以上が好ましく、そして、保存安定性や柔軟効果を低下させないために２．０質量％以下が好ましい。
【０１０９】
（Ｇ）成分としては、界面活性剤として柔軟剤に配合することが知られている界面活性剤を配合することができる。たとえば、両性界面活性剤として、アルキル（炭素数１２以上、２２以下）アミドプロピルカルボベタイン、アルキル（炭素数１２以上、２２以下）アミドプロピルスルホベタイン、アルキル（炭素数１２以上、２２以下）カルボベタイン、アルキル（炭素数１２以上、２２以下）スルホベタイン、アルキル（炭素数１０以上、１８以下）ジメチルアミンオキシドなどが挙げられる。これらの含有量は、組成物の目的に応じて調整する。
【０１１０】
［（Ｈ）無機塩］
本発明の液体柔軟剤組成物は、保存安定性を向上させる目的から必要に応じて（Ｈ）成分として無機塩を含有することができる。無機塩としては、塩化ナトリウム、塩化カルシウム、及び塩化マグネシウムから選ばれる無機塩が保存安定性の点から好ましい。
【０１１１】
無機塩は柔軟剤自体の液性の保存安定性に寄与するが、（Ｂ）成分を凝集させる性質を有することから、本発明の液体柔軟剤組成物において、（Ｈ）成分の含有量は、０．０１質量％以上、更に２．０質量％以下が好ましく、そして、１．０質量％以下が好ましい。
【０１１２】
［（Ｉ）シリコーン］
本発明の柔軟剤組成物には（Ｉ）成分として、水不溶性のシリコーン化合物を含有することが好ましい。ここで（Ｉ）成分についての水不溶性とは、２０℃のイオン交換水１Ｌに溶解する量が１ｇ以下であることをいう。（Ｉ）成分としては、具体的にはジメチルポリシロキサン、４級アンモニウム変性ジメチルポリシロキサン、アミノ変性ジメチルポリシロキサン、アミド変性ジメチルポリシロキサン、エポキシ変性ジメチルポリシロキサン、カルボキシ変性ジメチルポリシロキサン、ポリオキシアルキレン変性ジメチルポリシロキサン、フッ素変性ジメチルポリシロキサン等のシリコーン化合物が挙げられる。
【０１１３】
（Ｉ）成分としては、重量平均分子量が千以上、更に３千以上、更に５千以上、そして、１００万以下、２５℃における粘度が２ｍｍ2／ｓ以上、更に５００ｍｍ2／ｓ以上、更に１千ｍｍ2／ｓ以上、そして、１００万ｍｍ2／ｓ以下のジメチルポリシロキサン、アミノ変性ジメチルポリシロキサン、アミド変性ジメチルポリシロキサン、ポリオキシアルキレン（ポリオキシエチレン及び／又はポリオキシプロピレン、好ましくはポリオキシエチレン）変性ジメチルポリシロキサンから選ばれる１種以上が好ましい。アミノ変性ジメチルポリシロキサンのアミノ当量（アミノ当量とは窒素原子１個当たりの分子量）は、１，５００ｇ／ｍｏｌ以上、更に２，５００ｇ／ｍｏｌ以上、更に３，０００ｇ／ｍｏｌ以上が好ましく、そして、４０，０００ｇ／ｍｏｌ以下、更に２０，０００ｇ／ｍｏｌ以下、更に１０，０００ｇ／ｍｏｌ以下が好ましい。
【０１１４】
（Ｉ）成分を用いる場合、（Ａ）成分／（Ｉ）成分の質量比は、１／５０以上、更に１／２０以上、更に１／１０が好ましく、そして、６０／１以下、更に５０／１が好ましい。
【０１１５】
本発明の液体柔軟剤組成物において、（Ｉ）成分の含有量は、繊維製品の仕上り感として、さっぱり感を与える観点から、０．１質量％以上、更に０．５質量％以上が好ましく、そして、分散性の観点から５質量％以下が好ましい。
【０１１６】
［（Ｊ）酸剤］
本発明の液体柔軟剤組成物は、（Ａ）成分の第３級アミンを酸塩とする目的やｐＨの調整を目的で酸剤を含有することができる。本発明の液体柔軟剤組成物は、処理後の繊維製品の発香性及び残香性の両方の点、並びに保存安定性の点から、酸剤を含有させることで組成物原液のｐＨを３０℃で２．５以上、４．０以下に調整することができる。酸としては、無機酸又は有機酸が挙げられる。無機酸の具体例としては、塩酸、硫酸が使用できる。
【０１１７】
有機酸の具体例としては、炭素数１以上、１０以下の１価又は多価のカルボン酸、又は炭素数１以上、２０以下の１価又は多価のスルホン酸、炭素数１以上３以下のアルキル硫酸が挙げられる。より具体的にはメチル硫酸、エチル硫酸、ｐ−トルエンスルホン酸、（ｏ−、ｍ−、ｐ−）キシレンスルホン酸、ベンゼンスルホン酸、ドデシルベンゼンスルホン酸、グリコール酸、エチレンジアミン４酢酸、クエン酸、安息香酸、サリチル酸が挙げられる。好ましくは炭素数１以上、１０以下の１価又は多価のカルボン酸であり、より好ましくはクエン酸である。
【０１１８】
酸剤はｐＨが上記範囲になる範囲で含有され、保存安定性を損なわない程度に制限される。配合量は（Ａ）成分の種類や量によって適宜調整する。
【０１１９】
［（Ｋ）脂肪酸］
本発明の柔軟剤組成物は、柔軟効果を向上させる目的から、（Ｋ）成分として、脂肪酸を含有することが好適である。脂肪酸は（Ａ）成分の合成時の未反応物や（Ａ）成分の分解物として含有されてもよい。具体的にはラウリン酸、ミリスチン酸、パルミチン酸、パルミトレイン酸、ステアリン酸、オレイン酸、リノール酸、エルカ酸、ベヘニン酸等の炭素数１２以上、２２以下の飽和又は不飽和脂肪酸が好ましく、パルミチン酸、ステアリン酸、オレイン酸及びリノール酸から選ばれる脂肪酸がより好ましい。
【０１２０】
［（Ｌ）水溶性有機溶剤］
本発明の柔軟剤組成物は、保存安定性や粘度の観点から、（Ｌ）成分として、水溶性有機溶剤を含有することができる。（Ｌ）成分としては、柔軟剤に配合することが知られている水溶性の有機溶剤が挙げられる。本発明の水溶性有機溶剤とは、１００ｇの２０℃の脱イオン水に対して２０ｇ以上溶解するものをいう。具体的には、プロピレングリコール、エチレングリコール、グリセリン、ジエチレングリコール、モノエチレングリコールモノフェニルエーテル、ジエチレングリコールモノフェニルエーテル、トリエチレングリコールモノフェニルエーテル、イソプロパノール、エタノール等を挙げることができる。好ましくはエチレングリコール、エタノールである。
【０１２１】
水溶性有機溶剤は、柔軟剤組成物が他の成分によって、十分に安定化され粘度が低い場合は、その含有量は低減でき、あるいは含有しなくてもよいが、組成物の安定化のためには配合することが好ましい。本発明の液体柔軟剤組成物において、（Ｌ）成分の含有量は、１５質量％以下、更に１０質量％以下が好ましい。
【０１２２】
［（Ｍ）キレート剤］
キレート剤は、上記の酸剤として使用する以外に、柔軟剤組成物の長期保存時の色相変化や染料の褪色及び香りの変質を抑制するために用いられる。酸剤と兼ねてもよい。キレート剤として有用な化合物としては、例えば、エタン−１−ヒドロキシ−１，１−ジホスホン酸、エチレンジアミン四酢酸、メチルグリシン二酢酸、ヒドロキシエチルイミノ二酢酸、エチレンジアミン二コハク酸、Ｌ−グルタミン酸−Ｎ，Ｎ−二酢酸、Ｎ−２−ヒドロキシエチルイミノ二酢酸、クエン酸、コハク酸選ばれる一種以上が好ましい。
【０１２３】
［（Ｎ）その他の成分］
その他の成分としては、基材劣化の抑制のためにＢＴＨ等の酸化防止剤を含有してもよく、審美や長期保存時の着色による懸念を払拭する観点から、柔軟剤に配合されていることが知られている染料ないし顔料を含有することができる。またプロキセルの商品名で市販されている防菌・防黴剤を、保存安定性を損なわない範囲で含有することが好ましい。
【０１２４】
本発明の液体柔軟剤組成物は、繊維製品用として好適であり、繊維製品としては、衣料、布帛、寝具、タオル等が挙げられる。
【実施例】
【０１２５】
〔（Ａ）成分〕
実施例で使用した（Ａ）成分を以下に示す。
（ａ−１）成分
トリエタノールアミンとのＲ1ＣＯＯＨで表される脂肪酸を、反応モル比（脂肪酸／トリエタノールアミン）が１．６５／１で、エステル化反応させ、一般式（１）で表されるアミン化合物を含むエステル化反応物を得た。
エステル化反応物中には、未反応の脂肪酸（組成は後述の通り）が５質量％含まれていた。エステル化反応物中のアミン化合物のアミンに対して、メチル基が０．９８等量となるように、ジメチル硫酸で４級化反応を行った。
【０１２６】
得られた反応物をＨＰＬＣ法で各成分の組成比を分析し、臭化テトラオクチルアンモニウムを内部標準物質として使用し定量した結果、得られた反応物は、下記の（ａ１１−１）成分〜（ａ１１−３）成分、（ａ２１−１）成分〜（ａ２１−３）成分、及び未反応の脂肪酸からなる混合物（合計で１００質量％）であった。４級化率は９２％であった。４級化率はアミン価から求めることができる。
【０１２７】
（  ）内の含有量は、（ａ１１−１）成分〜（ａ１１−３）成分、（ａ２１−１）成分〜（ａ２１−３）成分の第４級アンモニウムイオン部分（ＣＨ3ＯＳＯ3-を除く部分）、及び未反応の脂肪酸の合計における各成分の含有割合を示す。
【０１２８】
【化４】
2014125685.tif 000005
【０１２９】
未反応の脂肪酸：（２質量％）
なお反応に用いたＲ1ＣＯＯＨの組成を以下に示す。
ミリスチン酸：２質量％
パルミチン酸：２７質量％
パルミトレイン酸：３質量％
ステアリン酸：３２質量％
炭素数１８で、不飽和基を１つ有する脂肪酸：３３質量％
炭素数１８で、不飽和基を２つ有する脂肪酸：３質量％
前記組成は、原料に使用した脂肪酸をガスクロマトグラフィーで組成分析し、各脂肪酸の面積％を質量％とみなした。前記不飽和基のシス／トランス体の質量比は８５／１５（1Ｈ―ＮＭＲによる、積分比）である。
【０１３０】
（ａ−２）成分
Ｎ−メチルジエタノールアミンとＲ1ＣＯＯＨで表される脂肪酸を、反応モル比（脂肪酸／トリエタノールアミン）が１．９／１で、エステル化反応させ、一般式（１）で表されるアミン化合物を含むエステル化反応物を得た。
エステル化反応物中には、未反応の脂肪酸（組成は後述の通り）が５質量％含まれていた。エステル化反応物中のアミン化合物のアミンに対して、１０質量％のエタノールを添加し均一に混合した後、前記アミンに対してメチル基が０．９８等量となるように、塩化メチルで４級化反応を行った。
４級化率は９０％であった。
得られた反応物をＨＰＬＣ法で各成分の組成比を分析し、臭化テトラオクチルアンモニウムを内部標準物質として使用し定量した結果、得られた反応物は、下記の（ａ１２−１）成分、（ａ２２−１）成分〜（ａ２２−２）成分、及び未反応の脂肪酸からなる混合物（合計で１００質量％）であった。
（  ）内の数字は、（ａ１２−１）成分、（ａ２２−１）成分〜（ａ２２−２）成分の第４級アンモニウムイオン部分（Ｃｌ-を除く部分）、及び未反応の脂肪酸の合計における各成分の含有割合を示す。
【０１３１】
【化５】
2014125685.tif 000006
【０１３２】
未反応の脂肪酸：（８．７質量％）
なお反応に用いたＲ1ＣＯＯＨの組成を以下に示す。
パルミチン酸：１０質量％
ステアリン酸：６０質量％
炭素数１８で、不飽和基を１つ有する脂肪酸：３０質量％
前記組成は、原料に使用した脂肪酸をガスクロマトグラフィーで組成分析し、各脂肪酸の面積％を質量％とみなした。前記不飽和基のシス／トランス体比は１／１（1Ｈ−ＮＭＲによる、積分比）である。
【０１３３】
〔（Ｂ）成分〕
合成例Ｂ１  （ｂ−１）の製造
ジイソブチレン−無水マレイン酸共重合体（デモールＥＰ、固形分２５％、花王株式会社）１．７ｇを塩酸で中和後、さらにイオン交換水で希釈することにより、固形分３％、ｐＨ４．３の水溶液を得た。次に、前記ジイソブチレン−無水マレイン酸共重合体水溶液１００ｇに、表１の組成の香料（ｂ１）を３６ｇ加え、ホモミキサーを用いて乳化し、これを５０℃に昇温した。次に、部分メチロール化メラミン樹脂（商品名Cymel385、固形分80％、Cytec Industries Inc製）を１２ｇ、イオン交換水３５ｇを混合した水溶液を滴下した。これを５０℃で２時間保持し、さらに７０℃で１時間保持し、さらに８０℃で３時間保持し、封入を完了させた。その後、放冷することによって、平均粒径７μｍ、有効分３０質量％のマイクロカプセルスラリーを得た。
【０１３４】
ここで、香料（ｂ１）は、下記表１のものである。
【０１３５】
【表１】
2014125685.tif 000007
【０１３６】
合成例Ｂ２  （ｂ−２）の製造
イオン交換水２４０ｇを１Ｌ４つ口フラスコに加えた。４つ口フラスコには２本の滴下ロートを接続し、１本の滴下ロートにはアクリル酸９８．８ｇ（和光純薬工業（株）製）、アクリルアミド２０．０ｇを混合した液（モノマー液）を入れておき、もう１本の滴下ロートにはＶ−５０（和光純薬工業（株）製、２，２−アゾビス（２−メチルプロピオアミジン）ジヒドロクロライド）３．７５ｇをイオン交換水７５ｇで希釈した液（開始剤液）を入れた。この装置を２１０ｋＰａまで減圧し、窒素で常圧に戻す作業を３回繰り返すことにより、脱気した。フラスコ内を７０℃に加熱後、モノマー液を３．７ｇ／分、開始剤液を１．３ｇ／分となるように滴下し、滴下後さらに２時間熟成後、反応液を冷却した。反応液３００ｇをアセトン８００ｇに滴下することにより、ポリマーの再沈殿を行なった。得られたポリマーを６０ｋＰａの減圧下８０℃で４８時間乾燥し、アクリル酸−アクリルアミド共重合体５２ｇを得た。重量平均分子量は１７万であった。
【０１３７】
上記の方法で得られたアクリル酸−アクリルアミド共重合体２．４ｇをイオン交換水８４ｇに希釈し、水酸化ナトリウム水溶液でｐＨ４に調製した。これに部分メチロール化メラミン樹脂（商品名Cymel385）３ｇを加え、３０分間攪拌を行なった。次に、前記合成例Ｂ１で用いた、表１の組成の香料（ｂ１）を７６ｇ加え、ホモミキサーを用いて乳化し、これを５０℃に昇温し、１時間保持した。一方で、アクリル酸−アクリルアミド共重合体１ｇ、イオン交換水４８ｇを混合した水溶液を水酸化ナトリウムでｐＨ４．８に調製し、部分メチロール化メラミン樹脂（商品名Cymel385）１０ｇ、硫酸ナトリウム１．５ｇを加え、３０分間攪拌後、これを乳化液に加えた。７０℃で１４時間保持した後、冷却し、平均粒径７μｍ、有効分３０質量％のマイクロカプセルスラリーを得た。
【０１３８】
〔（Ｃ）成分〕
本発明の繊維製品処理剤組成物に用いるケイ酸エステルとして、下記の化合物を合成した。
（Ｃ−１）：Si[O-Undecav]4  〔（ｃ−１）成分〕
（Ｃ−２）：Si[O-Geranyl]4  〔（ｃ−１）成分〕
（Ｃ−３）：Si[O-Geranyl]3 [O-Sandalmysore core]  〔（ｃ−１）成分〕
（Ｃ−４）：Si[O-Rasp][O-Menthyl]3  〔（ｃ−２）成分〕
（Ｃ−５）：Si[O-Rasp][O-Folrosia]3  〔（ｃ−２）成分〕
（Ｃ−６）：Si[O-Rasp][O-Menthyl]2[O-Geranyl]  〔（ｃ−２）成分〕
ここで、
Undecavは、4-メチル-3-デセン-5-オール（ウンデカベルトール）（２級アリルアルコール性香料、ｌｏｇＰ３．７）から水酸基を１個除いた基を、
Geranylは、ゲラニオール（１級アリルアルコール性香料、ｌｏｇＰ２．４）から水酸基を１個除いた基を、
Sandalmysore coreは、サンダルマイソルコア（１級アリルアルコール性香料、ｌｏｇＰ３．９）から水酸基を１個除いた基を、
Raspは、ラズベリーケトン（フェノール性香料、ｌｏｇＰ１．１）からフェノール性水酸基を１個除いた基を、
Menthylは、メントール（２級アルコール性香料、ｌｏｇＰ３．２）から水酸基を１個除いた基を、
Folrosiaは、フォルロージア（２級アルコール性香料、ｌｏｇＰ２．７）から水酸基を１個除いた基を、
それぞれ表す。また、各化合物は、以下の合成例により製造したものである。
【０１３９】
合成例Ｃ１  （Ｃ−１）：Si[O-Undecav]4の合成
500mLの四つ口フラスコにテトラエトキシシラン62.50ｇ（0.30mol）、4-メチル-3-デセン-5-オール183.92ｇ（1.08mol）及び５質量％ナトリウムエトキシドエタノール溶液0.90ｇを入れ、窒素気流下エタノールを留出させながら123〜150℃で約２時間攪拌を行った。その後、槽内の圧力を徐々に18kPaまで下げ、エタノールを留出させながら150℃で１時間撹拌を行った。次いで、エタノールを留出させながら、槽内温度150℃で、８kPaで１時間、４kPaで２時間、2.7kPaで４時間撹拌を行った。その後、0.4kPaの下、槽内温度を170℃に昇温し、系内に残存する4-メチル-3-デセン-5-オールの除去を30分掛けて行った。反応溶液の冷却を行い、メンブレンフィルター（ADVANTEC PTFE T100A090C）により減圧濾過を行い、4-メチル-3-デセン-5-オールのケイ酸エステル香料前駆体を含む176.90ｇの淡黄色油状物1を得た。
【０１４０】
合成例Ｃ２  （Ｃ−２）：Si[O-Geranyl]4の合成
200mLの四つ口フラスコにテトラエトキシシラン27.08ｇ（0.13mol）、ゲラニオール72.30ｇ（0.47mol）及び2.8質量％ナトリウムメトキシドメタノール溶液0.485mLを入れ、窒素気流下エタノールを留出させながら110〜120℃で２時間攪拌した。
２時間後、槽内の圧力を徐々に８kPaまで下げ、エタノールを留出させながら117〜120℃でさらに４時間攪拌した。４時間後、冷却、減圧を解除した後、濾過を行い、ゲラニオールのケイ酸エステル香料前駆体を含む76.92ｇの黄色油状物を得た。
【０１４１】
合成例Ｃ３  （Ｃ−３）：Si[O-Geranyl]3 [O-Sandalmysore core]の合成
200mLの四つ口フラスコにテトラエトキシシラン27.08ｇ（0.13mol）、ゲラニオール54.23ｇ（0.35mol）、サンダルマイソルコア23.32ｇ（0.12mol）及び2.8質量％ナトリウムメトキシドメタノール溶液0.485mLを入れ、窒素気流下エタノールを留出させながら110〜120℃で２時間攪拌した。
２時間後、槽内の圧力を徐々に８kPaまで下げ、エタノールを留出させながら117〜120℃でさらに４時間攪拌した。４時間後、冷却、減圧を解除した後、濾過を行い、ゲラニオールとサンダルマリソルコアのモル比３：１のケイ酸エステル香料前駆体を含む76.92ｇの黄色油状物を得た。
【０１４２】
合成例Ｃ４  （Ｃ−４）：Si[O-Rasp][O-Menthyl]3の合成
500mLの四つ口フラスコにテトラエトキシシラン83.33ｇ（0.40mol）、ラズベリーケトン59.11ｇ（0.36mol）、メントール168.77ｇ（1.08mol）及び5.275質量％ナトリウムエトキシドエタノール溶液0.58ｇを入れ、窒素気流下エタノールを留出させながら135〜160℃で約２時間攪拌を行った。
２時間後、槽内の圧力を徐々に６kPaまで下げ、エタノールを留出させながら160℃でさらに22時間撹拌を行った。その後、冷却、減圧を解除した後、濾過を行い、ラズベリーケトンとメントールのモル比１：３のケイ酸エステル化合物を含む238.34ｇの黄色油状物を得た。
【０１４３】
合成例Ｃ５  （Ｃ−５）：Si[O-Rasp][O-Folrosia]3の合成
500mLの四つ口フラスコにテトラエトキシシラン83.32ｇ（0.40mol）、ラズベリーケトン59.11ｇ（0.44mol）、フォルロージア153062ｇ（1.08mol）及び5.275質量％ナトリウムエトキシドエタノール溶液0.50ｇを入れ、窒素気流下エタノールを留出させながら150℃で約2時間攪拌を行った。
２時間後、槽内の圧力を徐々に４kPaまで下げ、エタノールを留出させながら150℃でさらに15時間撹拌した。その後、冷却、減圧を解除した後、濾過を行い、ラズベリーケトンとフォルロージアのモル比１：３のケイ酸エステル化合物を含む202.63ｇの黄色油状物を得た。
【０１４４】
合成例Ｃ６  （Ｃ−６）：Si[O-Rasp][O-Menthyl]2[O-Geranyl]の合成
500mLの四つ口フラスコにテトラエトキシシラン83.33ｇ（0.40mol）、ラズベリーケトン64.49ｇ（0.39mol）、メントール102.29ｇ（0.65mol）、ゲラニオール60.58ｇ（0.39mol）及び5.275質量％ナトリウムエトキシドエタノール溶液0.63gを入れ、窒素気流下エタノールを留出させながら160℃で約２時間攪拌した。
２時間後、槽内の圧力を徐々に６kPaまで下げ、エタノールを留出させながら160℃でさらに９時間撹拌した。その後、冷却、減圧を解除した後、濾過を行い、ラズベリーケトン、メントール及びゲラニオールのモル比１：２：１のケイ酸エステル化合物を含む橙色油状物233.91gを得た。
【０１４５】
表２に（Ｃ）成分の概略を示した。
【０１４６】
【表２】
2014125685.tif 000008
【０１４７】
〔（Ｄ）成分〕
（ｄ−１）：表３記載の香料
【０１４８】
【表３】
2014125685.tif 000009
【０１４９】
〔（Ｅ）成分〕
（ｅ−１）：ラウリルアルコールにエチレンオキサイドを平均２１モル付加させた化合物。〔すなわち一般式（Ｅ１−１）においてＲ1eが直鎖の炭素数１２のアルキル基であって酸素原子と結合するＲ1eの炭素原子が第１級炭素原子であり、ｋが２１である非イオン界面活性剤〕
（ｅ−２）：エマルゲン１１３５Ｓ−７０〔Ｅｘｘａｌ  １１アルコール（エクソンモービル社製）にエチレンオキサイドを平均３５モル付加させた化合物（花王（株）製〕。〔すなわち一般式（Ｅ１−１）においてＲ1eがＥｘｘａｌ  １１アルコールのアルキル基であって、ｋが３５である非イオン界面活性剤〕
（ｅ−３）：ソフタノール４００〔炭素数９以上、１１以下の２級アルコールにエチレンオキサイドを平均４０モル付加させた化合物、（株）日本触媒製〕。〔すなわち一般式（Ｅ１−１）においてＲ1eが直鎖の炭素数１２のアルキル基であって酸素原子と結合するＲ1eの炭素原子が第２級炭素原子であり、ｋが４０である非イオン界面活性剤〕
【０１５０】
〔その他の成分〕
（ｆ−１）成分：ステアリン酸モノ、ジ、トリグリセリド混合物（モノ：ジ：トリ＝６０：３５：５、質量比）
（ｇ−１）成分：ラウリルトリメチルアンモニウムクロライド
（ｈ−１）成分：塩化カルシウム
（ｎ−１）成分：プロキセルＢＤＮ（アーチ・ケミカル・ジャパン社製）
なお、液体柔軟剤組成物のｐＨを調整するため、クエン酸、塩酸及び水酸化ナトリウムから選ばれるｐＨ調整剤を使用した。例えば、ｐＨを３．２に調整する場合は、クエン酸０．３質量％、水酸化ナトリウム０．１２質量％配合した。
【０１５１】
＜液体柔軟剤組成物の製造方法＞
表４、５に示す配合組成となるように各成分を混合することにより、液体柔軟剤組成物を調製した。具体的には、以下の通りである。なお、表中の組成の質量％は、有効分の質量％である。
３００ｍＬビーカーに、液体柔軟剤組成物のでき上がり質量が２００ｇとなるのに必要な量の８５質量％相当量のイオン交換水と、（Ｅ）成分、（ｇ−１）成分、（ｎ−１）成分及びｐＨ調整剤を入れ、ウォーターバスを用いてイオン交換水の温度を６０±２℃に調温した。（Ｅ）成分及び（ｇ−１）成分がイオン交換水中に均一に溶解するように、必要に応じて下記の攪拌羽根を用いて攪拌した。
【０１５２】
６０±２℃の温度に調温した（Ｅ）成分、（ｇ−１）成分を含むイオン交換水を、直径が５ｍｍの攪拌棒の回転中心軸を基準として、長辺が９０度方向になるように配置された撹拌羽根（羽根の数：３枚、羽根の長辺／短辺：３ｃｍ／１．５ｃｍ、羽根の設置：回転面に対して４５度の角度）で撹拌（３００ｒ／ｍ）しながら、６５℃で（ｆ−１）成分とともに加熱溶解させた（Ａ）成分を３分間掛けて投入した。投入終了後に１５分間撹拌した。５℃のウォーターバスを用いて、内容物の温度が３０±２℃になるまで冷却した。順次、（Ｂ）成分、（Ｃ）成分、（Ｄ）成分、（ｈ−１）成分を投入し、５分間攪拌した。出来上がり質量（２００ｇ）となるようにイオン交換水を加え、５分間攪拌して液体柔軟剤組成物を得た。測定セルとして光路長１０ｍｍのガラスセルを使用し、対照セルにイオン交換水を入れ、紫外可視分光光度計（島津製作所製のＵＶ−２５００ＰＣ）を用いて測定された、液体柔軟剤組成物の可視光線透過率（波長６６０ｎｍ）は１０％未満であり、乳濁型液体柔軟剤組成物であった。
【０１５３】
＜評価＞
（１）保存安定性
Ｎｏ．６規格瓶に液体柔軟剤組成物３０ｇを封入し、４０℃１ヶ月静置させた。その後、外観の変化を目視で確認し、以下の基準で評価した。
＊評価基準
○：初期の状態と変化がない
○△：初期の状態と比べ、粒状の粒子がわずかに析出している
△：相分離がおきている
×：初期の状態と比べ、粒状の粒子が多数析出している
【０１５４】
（２）香り立ち
あらかじめ、市販の弱アルカリ性洗剤（花王（株）アタック）を用いて、グンゼ製肌着１７枚を日立製全自動洗濯機ＮＷ−６ＣＹで５回洗浄を繰り返し、室内乾燥することによって過分の薬剤を除去した（洗剤濃度０．０６６７質量％、水道水４７Ｌ、水温２０℃、洗浄１０分、ためすすぎ２回、脱水６分）。
【０１５５】
Ｎａｔｉｏｎａｌ電気バケツＮ−ＢＫ２−Ａに、４Ｌの水道水を注入し、液体柔軟剤組成物を１０ｇ／肌着１．５ｋｇになるように分散させ、さらに上述の方法で洗濯した肌着１枚を入れて、５分間攪拌した。その後、液体柔軟剤組成物で仕上げた肌着を日立二槽式洗濯機の脱水槽で３分脱水を行ってから、２４時間乾燥した。１つの液体柔軟剤組成物につき、この操作を３回行い、液体柔軟剤組成物で仕上げた肌着を３枚ずつ用意した。
【０１５６】
香りを評価する専門の３０代男性パネラー３人がそれぞれ肌着を着用し、１階から７階までの階段の昇降を２往復、午前に１回と午後の１回の割合で行い、２回目の昇降終了直後に、肌着の香り立ちを評価した。評価は、前記パネラー３人から回収した３枚の肌着について、１枚ずつ下記の基準で行い、３枚の評価のうち、一番多い結果となったものを、その液体柔軟剤組成物による評価結果とした。３人の評価結果が、１点、２点、３点と分かれた場合は、２点とした。なお階段の昇降を行うパネラーと評価のパネラーの構成は同じであり、階段の昇降は、気候による影響（温度、湿度の影響）が少ない状況で行った。
＊評価基準
３：リッチ且つフレッシュな香りする
２：リッチ又はフレッシュな香りだけがする
１：リッチ且つフレッシュな香りがするが香りが弱い
【０１５７】
【表４】
2014125685.tif 000010
【０１５８】
【表５】
2014125685.tif 000011